(57)【特許請求の範囲】
【請求項１】
支持バー（１）と、
この支持バー（１）の端部に設けた取付ブラケット（２）と、
上記支持バー（１）に取り付けた１又は複数の被展示物吊持ち用のフック部材（３）とを備え、
上記取付ブラケット（２）を介して上記支持バー（１）を水平バーＢに保持させ、上記フック部材（３）に被展示物（９）を吊持ちさせて当該被展示物（９）を展示させる展示装置において、
上記支持バー（１）の一端側に基端部を支点として回転自在に取り付けられる押さえフレーム（５）と、
この押さえフレーム（５）の先端部に設けられるストップピン（６）と、
上記支持バー（１）の他端側に形成されて上記ストップピン（６）を着脱自在に挿入する孔（７）と、
上記支持バー（１）に設けられて上記ストップピン（６）を上記孔（７）から抜け出ることを防止するロック機構（８）とを設け、
上記押さえフレーム（５）を上記支持バー（１）に対向させながら上記ロック機構（８）で固定したとき、当該押さえフレーム（５）で上記被展示物（９）の上下方向への抜けを防止する構成を備え、
更に、前記フック部材（３）は、貫通孔（３０ａ）を備え、互いに間隔をおいて対向する一対の係止片（３０ａ，３０ｂ）を有するフック本体（３０）と、当該フック本体（３０）の下側に連接するガイド（３１）とを有し、前記支持バー（１）を前記貫通孔（３０ａ）に挿入することによって、前記フック部材（３）は前記支持バー（１）に取り付けられ、且つ、前記押さえフレーム（５）は、前記一対の係止片（３０ａ，３０ｂ）の背面側に設けられている
ことを特徴とする被展示物の盗難防止装置を有する展示装置。
【請求項２】
上記被展示物（９）が上記フック部材（３）に引っ掛かるヘッド（９ａ）と、
当該ヘッド（９ａ）の下側に連設されるシャフト（９ｂ）とからなるゴルフクラブであって、上記シャフト（９ｂ）の下端部にグリップ（９ｄ）を有し、上記押さえフレーム（５）を上記ロック機構（８）を介して固定したとき、上記押さえフレーム（５）が上記フック部材（３）との間に上記グリップ（９ｄ）が抜け出ることを阻止する隙間をもって配置されることを特徴とする請求項１に記載の展示装置。
【請求項３】
上記被展示物（９）が上記フック部材（３）に引っ掛かるヘッド（９ａ）と、当該ヘッド（９ａ）の下側に連設されるシャフト（９ｂ）とからなるゴルフクラブであって、上記シャフト（９ｂ）がネック（９ｃ）からグリップ（９ｄ）にかけて徐々に拡径されて形成され、上記押さえフレーム（５）を上記ロック機構（８）を介して固定したとき、上記押さえフレーム（５）が上記フック部材（３）との間に上記シャフト（９ｂ）の下方の直径よりも小さい隙間をもって配置されることを特徴とする請求項１に記載の展示装置。
【請求項４】
上記支持バー（１）の一端側に基端部を水平方向に向けて回転自在にピン（４）を取り付け、このピン（４）の先端部に上記押さえフレーム（５）の基端部を回転自在に枢着させることを特徴とする請求項１から請求項３の何れか一項に記載の展示装置。
【請求項５】
上記ピン（４）は、ピン本体（４０）と、このピン本体（４０）の先端部に上記押さえフレーム（５）の基端部を枢着する一対の挟持片（４２）、（４２）と、上記ピン本体（４０）の基端側に連設されて内周部に螺子溝を有する筒状の取付部（４１）とからなり、上記取付部（４１）を上記支持バー（１）の一端側に穿設された挿通孔（１１）に挿通し、上記取付部（４１）に螺子（４３）を螺合して上記支持バー（１）に水平方向に回転自在に取り付けられ、上記支持バー（１）に上記螺子（４３）の頭（４３ａ）を覆うキャップ（４４）を結合することを特徴とする請求項４に記載の展示装置。
【請求項６】
上記キャップ（４４）の外周面を球面状に形成することを特徴とする請求項５に記載の展示装置。
【請求項７】
上記ロック機構（８）が、上記ストップピン（６）の外周に設けられる溝（６ａ）と、当該溝（６ａ）内に食込んで上記ストップピン（６）が上記孔（７）から抜け出ることを防止するロック片（８１）を有する鍵部材（８０）とからなり、当該鍵部材（８０）は、その外殻をなすハウジング（８２）と、当該ハウジング（８２）内に保持される上記ロック片（８１）及び鍵穴（８３）を有する鍵本体（８４）と、上記鍵穴（８３）内に先端部を差し込むことにより上記ロック片（８１）を駆動する鍵（８５）とで構成され、上記ハウジング（８２）は、上記支持バー（１）が左右に貫通する一対の貫通孔（８７）、（８７）と、上記ストップピン（６）が当該ハウジング（８２）内に出入りするための開口（８８）とを有してなり、上記支持バー（１）の他端側を上記貫通孔（８７）に貫通して上記ハウジング（８２）で上記支持バー（１）の孔（７）を覆い、次いで、押さえフレーム（５）を回転させてストップピン（６）を上記開口（８８）及び上記孔（７）に挿入し、上記鍵穴（８３）に差し込んだ鍵（８５）を回転してロック片（８１）を上記ストップピン（６）の上記溝（６ａ）内に食込ませることにより押さえフレーム（５）を固定することを特徴とする請求項１から請求項６の何れか一項に記載の展示装置。
【発明の詳細な説明】
【技術分野】
【０００１】
本発明は、展示装置における被展示物の盗難防止装置に関する。
【背景技術】
【０００２】
一般に、ゴルフクラブやテニスラケット等の被展示物を店内に展示するための各種展示装置が開発されている。
【０００３】
上記展示装置は、被展示物を見栄え良く陳列することが可能であると共に、客が被展示物を手に取って細部を観察したり、素振りをしてその感触を確かめたりするため、被展示物を容易に取り外すことが可能な構成とされている。
【０００４】
このような展示装置は、例えば特許文献１に開示されるように、支持バーと、この支持バーの端部に設けた取付ブラケットと、上記支持バーに着脱自在に取り付けた被展示物吊持ち用のフック部材とで構成されており、上記取付ブラケットを介して上記支持バーを展示場に保持させ、上記フック部材に上記被展示物を吊持ちさせている。
【先行技術文献】
【特許文献】
【０００５】
【特許文献１】特開２００８−８００８０（図１０）
【発明の概要】
【発明が解決しようとする課題】
【０００６】
しかしながら、上記した特許文献１に開示の方法にあっては、被展示物を見栄え良く陳列し、被展示物の取り外しが容易な点で有用であるが、以下の改善が求められている。
【０００７】
即ち、上記従来の方法にあっては、被展示物の取り外しが容易であるため、特に、被展示物がゴルフクラブのように高額で需要者が多い場合には、被展示物が盗難される虞があり、盗難防止措置を講じる必要がある。
【０００８】
そこで、本発明の目的は、展示装置における被展示物の盗難防止装置を開発し、被展示物の盗難を未然に防止することを可能とすることである。
【課題を解決するための手段】
【０００９】
上記課題を解決するための手段は、支持バーと、この支持バーの端部に設けた取付ブラケットと、上記支持バーに取り付けた１又は複数の被展示物吊持ち用のフック部材とを備え、上記取付ブラケットを介して上記支持バーを展示場に保持させ、上記フック部材に上記被展示物を吊持ちさせて当該被展示物を展示させる展示装置において、上記支持バーの一端側に基端部を支点として回転自在に取り付けられる押さえフレームと、この押さえフレームの先端部に設けられるストップピンと、上記支持バーの他端側に形成されて上記ストップピンを着脱自在に挿入する孔と、上記支持バーに設けられて上記ストップピンを上記孔から抜け出ることを防止するロック機構とを設け、上記押さえフレームを上記支持バーに対向させながら上記ロック機構で固定したとき、当該押さえフレームで上記被展示物の上下方向への抜けを防止するである。
【００１０】
この場合において、上記押さえフレームを上記ロック機構を介して固定したとき、この押さえフレームと上記フック部材とで被展示物を挟持することが好ましい。
【００１１】
同じく、上記被展示物が上記フック部材に引っ掛かるヘッドと、当該ヘッドの下側に連設されるシャフトとからなるゴルフクラブであって、上記シャフトの下端部にグリップを有し、上記押さえフレームを上記ロック機構を介して固定したとき、上記押さえフレームが上記フック部材との間に上記グリップが抜け出ることを阻止する隙間をもって配置されることが好ましい。
【００１２】
同じく、上記被展示物が上記フック部材に引っ掛かるヘッドと、当該ヘッドの下側に連設されるシャフトとからなるゴルフクラブであって、上記シャフトがネックからグリップにかけて徐々に拡径されて形成され、上記押さえフレームを上記ロック機構を介して固定したとき、上記押さえフレームが上記フック部材との間に上記シャフトの下方の直径よりも小さい隙間をもって配置されることが好ましい。
【００１３】
同じく、上記支持バーの一端側に基端部を水平方向に向けて回転自在にピンを取り付け、このピンの先端部に上記押さえフレームの基端部を回転自在に枢着させることが好ましい。
【００１４】
この場合において、上記ピンは、ピン本体と、このピン本体の先端部に上記押さえフレームの基端部を枢着する一対の挟持片と、上記ピン本体の基端側に連設されて内周部に螺子溝を有する筒状の取付部とからなり、上記取付部を上記支持バーの一端側に穿設された挿通孔に挿通し、上記取付部に螺子を螺合して上記支持バーに水平方向に回転自在に取り付けられ、上記支持バーに上記螺子の頭を覆うキャップを結合することが好ましい。
【００１５】
更には、上記キャップの外周面を球面状に形成することが好ましい。
【００１６】
また、上記ロック機構が、上記ストップピンの外周に設けられる溝と、当該溝内に食込んで上記ストップピンが上記孔から抜け出ることを防止するロック片を有する鍵部材とからなり、当該鍵部材は、その外殻をなすハウジングと、当該ハウジングで保持される上記ロック片及び鍵穴を有する鍵本体と、上記鍵穴内に先端部を差し込むことにより上記ロック片を駆動する鍵とで構成され、上記ハウジングは、上記支持バーが左右に貫通する一対の貫通孔と、上記ストップピンが当該ハウジング内に出入りするための開口とを有してなり、上記支持バーの他端側を上記貫通孔に貫通して上記ハウジングで上記支持バーの孔を覆い、次いで、押さえフレームを回転させてストップピンを上記開口及び上記孔に挿入し、上記鍵穴に差し込んだ鍵を回転してロック片を上記ストップピンの上記溝内に食込ませることにより押さえフレームを固定することが好ましい。
【発明の効果】
【００１７】
請求項１に係る発明によれば、押さえフレームの先端部に設けたストップピンをロック機構で固定して被展示物の上下方向への抜けを防止することにより、被展示物の盗難を防止することが容易且つ確実に可能となる。
【００１８】
請求項２に係る発明によれは、押さえフレームをロック機構を介して固定したとき、被展示物を上記押さえフレームとフック部材とで挟持して、被展示物が動くことを防ぐことが可能となる。
【００１９】
請求項３に係る発明によれば、押さえフレームをロック機構を介して固定したとき、押さえフレームがフック部材との間に被展示物たるゴルフクラブのグリップが抜け出ることを阻止する隙間をもって配置されることから、押さえフレームが固定された状態においてもゴルフクラブを一定の範囲内で引き抜くことが可能であり、客がゴルフクラブを手に取って細部を観察したり、重量感を確認したりすることが可能となる。
【００２０】
請求項４に係る発明によれば、押さえフレームをロック機構を介して固定したとき、押さえフレームがフック部材との間に被展示物たるゴルフクラブのシャフトの下方の直径よりも小さい隙間をもって配置されることから、上記請求項３に係る発明と同様の効果を得ることが可能となる。
【００２１】
請求項５に係る発明によれば、支持バーに水平方向に向けて回転自在なピンを取り付け、このピンの先端部に押さえフレームの基端部が回転自在に枢着されることから、押さえフレームが基端部を支点として上下左右方向に回転自在となり、例えば、支持バーを複数並列に並べて被展示物を展示する場合にあって、隣接する支持バー同士の距離が短かったとしても、隣接する支持バーや当該支持バーに支持される被展示物が押さえフレームの動作の妨げとならず、展示装置における被展示物の盗難防止装置の省スペース化が可能となる。
【００２２】
請求項６に係る発明によれば、支持バーにピンを取り付けるための螺子の頭を覆うキャップが結合されてなることから、美観が優れると共に、上記螺子が外されて押さえフレームが不当に外されることを防止し、被展示物の盗難をより確実に防止することが可能となる。
【００２３】
請求項７に係る発明によれば、キャップの外周面が球面状に形成されることにより、キャップの手掛かり部をなくし、工具等を用いてキャップを不当に外すことを困難にし、被展示物の盗難を更に確実に防止することが可能となる。
【００２４】
請求項８に係る発明によれば、鍵本体がハウジング内に保持されることから、鍵本体が壊され難く、被展示物の盗難をより確実に防止することが可能となる。
【００２５】
更には、ハウジングに一対の貫通孔を設け、当該貫通孔に支持バーを挿通することにより鍵部材を支持バーに取り付けていることから、鍵部材を支持バーに着脱自在に設けることが可能となり、鍵部材を外した状態においては、支持バーに取り付けるフック部材の数量を適宜変更することが可能となる。
【図面の簡単な説明】
【００２６】
【図１】本発明の一実施の形態の展示装置における被展示物の盗難防止装置を示す斜視図である。
【図２】本発明の一実施の形態の展示装置における被展示物の盗難防止装置の取り付け部分周辺を示す部分拡大斜視図である。
【図３】本発明の一実施の形態の展示装置における被展示物の盗難防止装置のピン周辺を示す部分拡大分解斜視図である。
【図４】本発明の一実施の形態の展示装置における被展示物の盗難防止装置のロック機構周辺を示す部分拡大分解斜視図である。
【発明を実施するための形態】
【００２７】
以下、本発明に係る一実施の形態を示す展示装置における被展示物の盗難防止装置について、図面を参照して説明する。
【００２８】
尚、本実施の形態においては、被展示物をゴルフクラブとしたゴルフクラブ用展示装置におけるゴルフクラブの盗難防止装置を例示し、以下の説明において、ゴルフクラブとは被展示物を指すものとする。
【００２９】
同じく、上記ゴルフクラブ用展示装置におけるゴルフクラブの盗難防止装置を単に「ゴルフクラブ盗難防止装置」とする。
【００３０】
図１に示すように、本発明に係るゴルフクラブ盗難防止装置は、従来の展示装置と同様に、支持バー１と、この支持バー１の端部に設けた取付ブラケット２と、上記支持バー１に取り付けた１又は複数のゴルフクラブ吊持ち用のフック部材３とを備えてなる。
【００３１】
そして、上記取付ブラケット２を介して上記支持バー１を展示場に保持させ、上記フック部材３にゴルフクラブ９を吊持ちさせて当該ゴルフクラブ９を展示する。
【００３２】
更に、上記従来の展示装置の構成に加えて、上記支持バー１の一端側に基端部を支点として回転自在に取り付けられる押さえフレーム５と、この押さえフレーム５の先端部に設けられるストップピン６と、上記支持バー１の他端側に形成されて上記ストップピン６を着脱自在に挿入する孔７と、上記支持バー１に設けられて上記ストップピン６を上記孔７から抜け出ることを防止するロック機構８とが備えられており、上記押さえフレーム５を上記支持バー１に対向させながら上記ロック機構８で固定したとき、当該押さえフレーム５で上記ゴルフクラブ９の上下方向への抜けを防止する。
【００３３】
当該構成を備えることにより、押さえフレーム５がロック機構８を介して固定されている限りにおいて、ゴルフクラブ９の盗難を防止することが容易且つ確実に可能となる。
【００３４】
以下、本実施の形態のゴルフクラブ盗難防止装置の各構成部品について詳細に説明する。
【００３５】
図１に示すように、本実施の形態のゴルフクラブ盗難防止装置は、店舗等の展示場の壁等に設けられる水平バーＢに、取付ブラケット２を介して取り付けられており、フック部材３を介してゴルフクラブ９を展示場に展示すると共に、ゴルフクラブ９の盗難を防止する。
【００３６】
ゴルフクラブ９は、フック部材３に引っ掛かるヘッド９ａと、当該ヘッド９ａの下側に連設されるシャフト９ｂとからなり、当該シャフト９ｂはネック９ｃからグリップ９ｄにかけて徐々に拡径されて形成される。
【００３７】
そして、当該ゴルフクラブ９を吊持ちするフック部材３は、フック本体３０と、このフック本体３０の下側に連設されるガイド３１とからなり、上記フック本体３０は、略部中心部を左右に貫通する貫通孔３０ａと、上方に起立して相対向する左右一対の係止片３０ｂ、３０ｂとを備える。
【００３８】
従って、支持バー１を上記貫通孔３０ａ内に挿入して支持バー１にフック部材３を取り付けることにより、フック部材３を支持バー１に着脱自在とすることが可能となる。
【００３９】
また、上記係止片３０ｂ、３０ｂの間にヘッド９ａを係止させてフック本体３０に引掛け、シャフト９ｂをガイド３１で案内することにより、シャフト９ｂの傾きがばらつかず、ゴルフクラブ９を容易に美しく展示することが可能となる。
【００４０】
尚、フック部材３の形状及び取り付け数量は上記の限りではなく、被展示物９の形状に従って適宜選択することが可能であり、支持バー１と一体的に設けるとしても良い。
【００４１】
図２に示すように、展示場に支持バー１を取り付けるための取付ブラケット２は、水平バーＢに対向すると共に背面側に支持バー１が連結される取付ブラケット本体２０と、この取付ブラケット本体２０の上下に連設されて対をなし水平バーＢを把持する上下一対の把持片２１、２２と、下側の把持片２２と水平バーＢとを結合するボルト２３とからなる。
【００４２】
図２には、ボルトヘッド（符示せず）に特殊溝加工が施されたボルト２３を示し、市販される通常の工具によってはボルト結合を解除することができない構成となっている。
【００４３】
尚、取付ブラケット２が上記構成を有することにより、ボルト結合を解除されてゴルフクラブ盗難防止装置ごと盗難されることを防ぐことが可能となるがこの限りではなく、ゴルフクラブ盗難防止装置が取り付けられる対象物によっても適宜その形状を選択すべきである。
【００４４】
上記取付ブラケット２に端部が連結される支持バー１は、横長の矩形板状部材であり、ゴルフクラブ吊持ち用のフック部材３が着脱自在に取り付けられている。
【００４５】
尚、支持バー１が当該構成を有することにより、図１に示すように複数のフック部材３を取り付けることが可能となるがこの限りではなく、適宜形状を選択することが可能である。
【００４６】
そして、上記支持バー１には、この支持バー１の一端側に基端部を支点として回転自在に取り付けられる押さえフレーム５と、この押さえフレーム５の先端部に設けられるストップピン６が着脱自在に挿入される孔７とが設けられている。
【００４７】
図３に示すように、上記支持バー１の一端側に基端部を水平方向に向けて回転自在にピン４を取り付け、このピン４の先端部に上記押さえフレーム５の基端部を回転自在に枢着させている。
【００４８】
当該構成を有することにより、押さえフレーム５が基端部を支点として上下左右方向に回転自在とすることが可能となる。
【００４９】
従って、例えば、図示しないが、支持バー１を複数並列に並べてゴルフクラブ９を展示する場合にあって、隣接する支持バー１同士の距離が短かったとしても、隣接する支持バー１や当該支持バー１に吊持されるゴルフクラブ９が押さえフレーム５の動作の妨げとならず、ゴルフクラブ盗難防止装置の省スペース化が可能となる。
【００５０】
上記ピン４は、ピン本体４０と、このピン本体４０の先端部に上記押さえフレーム５の基端部を枢着する一対の挟持片４２、４２と、上記ピン本体４０の基端側に連設されて内周部に螺子４３を螺合するための螺子溝（符示せず）を有する筒状の取付部４１とからなる。
【００５１】
そして、上記取付部４１は、上記ピン本体４０よりも小径に形成されており、支持バー１の一端側に穿設された挿通孔１１内に貫通した状態で固定されたパイプ１２内に回転可能に挿入されている。
【００５２】
また、上記パイプ１２内には、上記ピン４と反対側から略筒状の回転パイプ４５が挿入され、この回転パイプ４５は、上記パイプ１２内に挿入される挿入部４５ａと、上記パイプ１２の内径よりも大径に形成されるフランジ部４５ｂと、螺子挿通用の挿通孔（符示せず）を有してなる。
【００５３】
上記挿通孔は、螺子挿入側に切欠（符示せず）を有してなり、当該切欠に螺子４３の頭４３ａが当接して回転パイプ４５とピン４とが螺子４３を介して結合され、これにより、ピン４は上記支持バー１に水平方向に回転自在となる。
【００５４】
回転パイプ４５は左右対称であり、その内部構造を明らかにするため、図３には、回転パイプ４５のみを断面斜視図で示した。
【００５５】
尚、上記ピン４の取付方法は上記の限りではなく、ピン４が支持バー１に水平方向に回転自在に取り付けられる限りにおいて適宜構成を選択することが可能である。
【００５６】
また、上記ピン４を必ずしも設ける必要はなく、例えば、押さえフレーム５の基端を球面状としてボールジョイント構造としても良く、また、押さえフレーム５を支持バー１にヒンジを介して枢着させるとしても良い。
【００５７】
更に、上記支持バー１には、上記螺子４３の頭４３ａを覆うキャップ４４が結合されており、当該構成を備えることにより、美観が優れると共に、上記螺子４３が外されて押さえフレーム５が不当に外されることを防止し、ゴルフクラブ９の盗難をより確実に防止することが可能となる。
【００５８】
また、上記キャップ４４の外周面が球面状に形成されることにより、キャップ４４の手掛かり部をなくし、工具等を用いてキャップ４４を不当に外すことを困難にし、ゴルフクラブ９の盗難を更に確実に防止することが可能となる。
【００５９】
尚、上記キャップ４４は、溶接やその他の手段により、確実に支持バー１に固定されることが望ましい。
【００６０】
また、上記キャップ４４が螺子４３挿入側に突出するパイプ１２と回転パイプ４５と螺子４３とを一体的に覆いながら支持バー１に固定されることにより、ピン４の支持バー１への接合部が隠れ、当該接合部を破壊されることを防ぐと共に、外観性能を向上することが可能となる。
【００６１】
上記ピン４を介して基端側を支持バー１に取り付けられる押さえフレーム５は、円柱状の棒部材であり、先端部に当該押さえフレーム５と垂直にストップピン６が延設されてなる（図１、図４）。
【００６２】
そして、上記ストップピン６が支持バー１の他端側に設けられる孔７に挿入された状態で、ロック機構８で孔７からの抜け出しを防止されることにより押さえフレーム５は支持バー１に対向しながら固定される。
【００６３】
当該押さえフレーム５の形状及び取付位置は、押さえフレーム５がロック機構８を介して支持バー１に固定された状態にあるときに、フック部材３に相対向して吊持ちされるゴルフクラブ９の背面側に交差して配置され、ゴルフクラブ９の上下方向への抜けを防止することが可能な範囲で適宜選択することが可能である。
【００６４】
例えば、押さえフレーム５をロック機構８を介して固定したとき、この押さえフレーム５とフック部材３とでゴルフクラブ９のシャフト９ｂを挟持してゴルフクラブ９が動くことを防止するとしても良い。
【００６５】
同じく、上記押さえフレーム５が上記フック部材３との間に上記グリップ９ｄ若しくはシャフト９ｂの下方が抜け出ることを阻止する隙間をもって配置されるとしても良い。
【００６６】
この隙間を設けた場合においては、押さえフレーム５が固定された状態においてもゴルフクラブ９を一定の範囲内で引き抜くことが可能となり、客がゴルフクラブ９を手に取って細部を観察したり、重量感を確認したりすることが可能となる。
【００６７】
また、上記押さえフレーム５にクッション効果のあるカバー（符示せず）を被せることにより、ゴルフクラブ９の傷付を防止することが可能となる。
【００６８】
上記押さえフレーム５を固定するロック機構８は、図４に示すように、上記押さえフレーム５の先端部に設けられたストップピン６の外周に設けられる溝６ａと、当該溝６ａ内に食込んで上記ストップピン６が上記孔７から抜け出ることを防止するロック片８１を有する鍵部材８０とからなる。
【００６９】
上記鍵部材８０は、その外殻をなすハウジング８２と、当該ハウジング８２内に保持される上記ロック片８１及び鍵穴８３を有する鍵本体８４と、上記鍵穴８３内に先端部を差し込むことにより上記ロック片８１を駆動する鍵８５とで構成される。
【００７０】
また、上記ハウジング８２は、支持バー１が左右に貫通する一対の貫通孔８７、８７と、上記ストップピン６が当該ハウジング８２内に出入りするための開口８８とを有してなる。
【００７１】
そして、上記支持バー１の他端側を上記貫通孔８７、８７に貫通して上記ハウジング８２で上記支持バー１の孔７を覆い、次いで、押さえフレーム５を回転してストップピン６を上記開口８８及び上記孔７に挿入し、上記鍵穴８３に差し込んだ鍵８５を回転してロック片８１を上記ストップピン６の上記溝６ａ内に食込ませることにより押さえフレーム５を固定する。
【００７２】
上記構成を備えることにより、鍵本体８４がハウジング８２内に保持されることから、鍵本体８４が壊され難く、ゴルフクラブ９の盗難をより確実に防止することが可能となる。
【００７３】
更には、ハウジング８２に一対の貫通孔８７、８７を設け、当該貫通孔８７、８７に支持バー１を挿通することにより鍵部材８０を支持バー１に取り付けていることから、鍵部材８０を支持バー１に着脱自在に設けることが可能となり、鍵部材８０を外した状態においては、支持バー１に取り付けるフック部材３の数量を適宜変更することが可能となる。
【００７４】
尚、上記ロック機構８の構成は、孔７からストップピン６が抜け出すことを防ぐことが可能な範囲において適宜構成を選択することが可能である。
【００７５】
例えば、図４には、開口８８をハウジング８２におけるストップピン６の挿入側と突出側に設けた状態を示しているが、挿入側にのみ開口８８を設けるとしても良い。
【００７６】
また、上記鍵部材８０を支持バー１に固定するとしても良く、また、南京錠等を用いて孔７とストップピン６とを結合するとしても良い。
【００７７】
次に、本発明に係るゴルフクラブ盗難防止装置の作用について説明する。
【００７８】
まず、フック部材３を取り付けた支持バー１を取付ブラケット２を介して展示場の水平バーＢに固定する。
【００７９】
そして、フック部材３にゴルフクラブ９のヘッド９ａを引掛けてフック部材３でゴルフクラブ９を吊持ちさせる。
【００８０】
次いで、支持バー１の先端側から鍵部材８０を装着し、当該鍵部材８０のハウジング８２に設けた開口８８と支持バー１の孔７とを重ねる。
【００８１】
そして、押さえフレーム５を回転し、当該押さえフレーム５の先端部に設けたストップピン６を上記孔７に挿入し鍵８５で施錠する。
【００８２】
これにより、ゴルフクラブ９のシャフト９ｂが押さえフレーム５とフック部材との間に配置され、ゴルフクラブ９を引き抜くことができなくなる。
【００８３】
従って、鍵８５を店員等が保管することにより、店員の許可なくゴルフクラブ９が引き抜かれることを防止し、ゴルフクラブ９の盗難を未然に防ぐことが可能となる。
【００８４】
以上、本発明の一実施の形態を詳細に説明したが、特許請求の範囲から逸脱することなく改造、変形及び変更を行うことができることは理解すべきである。
【００８５】
図１から図４には、アイアンクラブを展示するゴルフクラブ盗難防止装置を示したがこの限りではなく、他のゴルフクラブやゴルフクラブ以外のものを被展示物としても良いことは勿論である。
【符号の説明】
【００８６】
Ｂ  水平バー
１  支持バー
２  取付ブラケット
３  フック部材
４  ピン
５  押さえフレーム
６  ストップピン
７  孔
８  ロック機構
９  ゴルフクラブ（被展示物）
１１  挿通孔
１２  パイプ
４３  螺子
４４  キャップ
４５  回転パイプ
８０  鍵部材
８１  ロック片
８２  ハウジング
８３  鍵穴
８４  鍵本体
８５  鍵
８７  貫通孔
８８  開口
【図１】
0005442364.tif 000002
【図２】
0005442364.tif 000003
【図３】
0005442364.tif 000004
【図４】
0005442364.tif 000005